(57)【特許請求の範囲】
【請求項１】
医療用添え木（２２，３０）の上または中に置かれた体の一部を固定するための固定用要素（１３、１３’１４、３１、３２、３３、４４）において、
前記固定用要素は、平坦な要素として形成され、
前記固定用要素は、中心的な構成要素として前記固定要素（１３、１３’１４、３１、３２、３３、４４）に剛性および手作業による塑性的な変形能の特性を与える波形状シートメタルコア（１８）を備え、このコアは、カバー（１９、３６、３７）によって被覆されており、
前記固定用要素は、長手方向（３４）を有する細長い、ストリップ状の要素として形成され、前記固定用要素は、前記長手方向（３４）に沿って前記体の一部の上または周りで引っ張られるものであり、
前記コア（１８）の前記波は、前記長手方向（３４）に対して略平行に配向され、前記固定用要素（１３、１３’１４、３１、３２、３３、４４）を前記医療用添え木（２２）に解放可能に取り付けるための手段（２０、２１、２７、２８、３８、３９）が、少なくとも前記固定用要素の前記長手方向の両端部に配置されることを特徴とする固定用要素。
【請求項２】
請求項１に記載の固定用要素であって、前記コア（１８）は、アルミニウムから製作されることを特徴とする固定用要素。
【請求項３】
請求項２に記載の固定用要素であって、前記コア（１８）は、厚さが０．２乃至１．２ｍｍであることを特徴とする固定用要素。
【請求項４】
請求項１乃至３のいずれか１項に記載の固定用要素であって、前記固定用要素を解放可能に取り付けるための前記手段（２０、２１、２７、２８、３８、３９）は、面ファスナであることを特徴とする固定用要素。
【請求項５】
請求項１乃至４のいずれか１項に記載の固定用要素であって、前記カバー（１９、３６、３７）が、前記波形状シートメタルコア（１８）の片面または両面上に設けられ、前記カバー（１９、３６、３７）が、織物または発泡体からなるグループから選択された柔軟な材料から製作されることを特徴とする固定用要素。
【請求項６】
請求項１に記載の固定用要素であって、アルミニウムから製作されるストリップ状の強化要素（４２、４３）をさらに備えることを特徴とする固定用要素。
【請求項７】
体の一部を固定する装置であって、前記装置は、医療用添え木（２２，３０）と、前記医療用添え木（２２，３０）に取り外し可能に取り付けられる請求項１乃至６のいずれか１項に記載の少なくとも１つの固定用要素（１３、１３’１４、３１、３２、３３、４４）とを含む、装置。
【請求項８】
請求項７に記載の装置であって、前記医療用添え木（２２，３０）は、Ｕ字形状の医療用添え木（２２）であることを特徴とする装置。
【請求項９】
請求項７または８に記載の装置であって、前記添え木の横断面は、半円形状または円形状であることを特徴とする装置。
【請求項１０】
請求項７乃至９のいずれか１項に記載の装置であって、前記添え木は、手首関節の添え木であることを特徴とする装置。
【請求項１１】
請求項７乃至９のいずれか１項に記載の装置であって、前記添え木は、前腕の手掌側の添え木であることを特徴とする装置。
【請求項１２】
請求項７乃至９のいずれか１項に記載の装置であって、前記添え木は、上腕の添え木であることを特徴とする装置。
【請求項１３】
請求項７乃至９のいずれか１項に記載の装置であって、前記添え木は、屈曲添え木（３０）であることを特徴とする装置。
【発明の詳細な説明】
【技術分野】
【０００１】
本発明は、一般に、医療用添え木の分野に関し、より詳細には、請求項１のプリアンブルに記載の医療用添え木のための固定用ストラップ、および固定用ストラップを備える、様々な添え木アセンブリに関する。また、本発明は、かかるストラップの使用に関する。
【背景技術】
【０００２】
国際公開第９７／２２３１２  Ａ１号に、医療用添え木が、開示されており、その主な特性は、コアシートを含み、そのコアシートが、工具なしで手作業によって塑性的に変形させることができることである。コアシートは、波形を備える金属プレートであり、そこには、リブおよびチャネルが、特定の方向、すなわち添え木の長手方向軸に対して、実質的に横断するように配置される。
【０００３】
波形状になされたコアシートは、アルミニウムから製作されることが好ましく、厚さが、たとえば、０．２〜０．４ｍｍであり、両面上が層によって被覆されており、それは、具体的な用途に対して適合される。横木を着ける上での快適さを向上させるために、クッションとして内側被覆層を形成することができる。外側被覆層は、添え木が外部からの影響をそれほど受けないようにするために、水洗い可能とすることができる。
【０００４】
このタイプの添え木の基本的な思想は、コアシートの波形が、不規則な体の形状に対する添え木の調節を容易にする「予備領域」になるということである。手作業による形作りの間、波形は、平坦にする、または直立させるために局所的に押すことができ、それによって、添え木を、局所的に拡張させる、または収縮させることが可能になる。
【０００５】
このようにして、平坦なプレートを変形させる間に予想されるようなプレートにしわを作る、または曲げることを避けることができる。さらに、長手方向に対して横断するように波形を配置した結果として、添え木を当てられる体の一部分に対応して添え木を形成中に、添え木全体を固めることが達成され、したがって、添え木は、安楽で快適な着け心地を得るように、かつ所望の高い剛性を求めて添え木を当てられる体の一部分に適応させるために、迅速で容易な取り扱いをする上で、ほとんど理想的な特性を有することになる。
【０００６】
今まで、弾力的で柔軟な、ほとんど織物のようなストラップが、医療用添え木を固定するために使用されてきた。しかし、これらのストラップは、添え木を当てられる体の一部分の動きを十分に制限しない。かかるストラップを用いて固定される添え木が、特に国際公開第９８／４９９７９  Ａ１号および第２００７／１２８１９９  Ａ１号に、開示されている。しかし、いくつかの場合には、それを用いると添え木効果を高めることができ、かつ、その上に異なる目的のために使用することができる固定用ストラップを使用することが望ましい。
【先行技術文献】
【特許文献】
【０００７】
【特許文献１】国際公開第９７／２２３１２  Ａ１号明細書
【発明の概要】
【発明が解決しようとする課題】
【０００８】
したがって、本発明の目的は、医療用添え木のための向上させた固定用ストラップを提供することであり、それは、いかなる工具も用いることなく容易に変形させ、かつ正確で確実に固定することができる。
【課題を解決するための手段】
【０００９】
これらの目的は、請求項１によって解決される。
【００１１】
本発明のさらなる目的は、改良された添え木アセンブリに関することに対し、これは、体の一部分に当てることができ、かつ添え木を当てられる体の一部分の動きを確実に制限する。この目的は、請求項７〜１３に記載された添え木アセンブリによって、解決される。
【００１２】
波形状になされたコアシートの波が、歪みの優先方向に、実質的に平行に配置され、固定手段が、固定用ストラップを取り外し可能に固定するために設けられることが、本発明による固定用ストラップに関する特性である。優先方向に平行である、リブおよびチャネルの方向付けによって、固定用ストラップは、優先方向での引っ張り力および圧縮力を、その長さを変えることなく、吸収することができる。同時に、コアシートの波形のために、要素は、体の一部分の不規則な形状に従うように手作業で形成することができる。
【００１３】
コアシートは、アルミニウムから製作されることが好ましく、厚さが０．２ｍｍと１．２ｍｍの間にある。コアシートには、このために、環境からの影響に対する抵抗力がもたらされ、使用目的に対応するのに十分な柔軟性が得られる。
【００１４】
有利な実施形態によれば、固定用ストラップは、ベルクロ（Ｖｅｌｃｒｏ（登録商標））社製のファスナを備える。それは、多重使用要素であり、追加の工具なしに、容易に、かつ高い接着強度で固定することができる。
【００１５】
波形状になされたコアシートは、コアシートおよび動かないようにされる体の一部分を保護するために、さらにその上、機械的特性をさらに向上させるために、片面上、または両面上を、好ましくは発泡体または織物から製作された、柔軟な被覆層を用いて被覆することができる。
【００１６】
本発明による固定用ストラップの好ましい用途は、剛体の台座添え木上で、またはその中で体の一部分を動かないようにすることにあり、そこでは、体の一部分は、台座上に、またはその中にセットされ、体の一部分を取り巻いて閉じられ、台座に接続される１つ以上の固定用ストラップによって、固定される。
【００１７】
固定用ストラップは、台座上に解放可能に固定されることが好ましい。
【００１８】
コアシートの波形は、動かないようにされる体の一部分の外側輪郭上の窪み部および隆起部に、固定用ストラップを適合させるために、手作業で局所的に平坦化することができる。
【００１９】
動かないようにされる体の一部分は、通常、手足であり、台座は、医療用添え木であり、手足は、添え木中で固定されるべきである。特別な場合では、医療用添え木は、一定の、好ましくは角度のついた形態で添え木を安定化させるために、本発明による追加の固定用ストラップを備えることができる。
【００２０】
本発明による固定用ストラップの別の実施形態は、体の一部分のための細長い包帯であり、固定用ストラップは、固定される体の一部分のまわりでらせん形のコイルを形成するように巻かれる。
【００２１】
この場合、所定の形態での巻き付けは、コイルの外側に施された追加の固定用要素によって、安定化させることができる。
【００２２】
本発明は、添付図面を参照して、より詳細に述べる。
【図面の簡単な説明】
【００２３】
【図１】本発明の可能な実施形態を示す平面図である。
【図２】図１に示すストラップの横断面図である。
【図３】柔軟な固定用ストラップを備える、当技術で知られた屈曲添え木を示す図である。
【図４】異なる固定手段を備える、図２と同様の固定用ストラップの長手方向断面図である。
【図５】剛体であり手作業によって変形可能なストリップ形状の固定用ストラップ、および曲げ領域中で所望の形状に添え木を保つように使用される、追加の横方向固定用ストラップを備える、本発明の一実施形態による屈曲添え木アセンブリを示す図である。
【図６】曲げ領域に配置される別の下側の固定用ストラップを備える、図５による屈曲添え木を示す図である。
【図７】ベルクロ社製ファスナの形態での解放可能な固定手段を用いて、全表面の上が被覆される、本発明による固定用ストラップの別の実施形態を示す平面図である。
【図８】ベルクロ社製ファスナを別々に拡大して示す、図７による固定用ストラップの横断面図である。
【図９】本発明による固定用ストラップによって、取り巻かれて閉じられた体の一部分の横断面図である。
【図１０】巻き軸に沿って包まれた体の一部分（図示せず）を固定するための、本発明によるストリップ形状の固定用ストラップから作られたらせん形コイルを示す図である。
【図１１】コイルの巻きが、追加の外側の強化要素によって、互いに対して固定された、図１０のコイルを示す図である。
【図１２】指を固定するために、本発明による固定用ストラップを使用していることを示す図である。
【図１３】添え木を当てられた体の一部分の可動性を定量化するための測定装置を示す概略見取り図である。
【図１４】図１３による装置を用いて測定された、従来の柔軟な織物の固定用ストラップを用いて固定された、前腕の長掌側（ｌｏｎｇ  ｐａｌｍａｒ  ｆｏｒｅａｒｍ）の添え木中の手首関節の曲がりおよび伸び（カーブＢ１）と、本発明による固定用ストラップを用いた場合の曲がりおよび伸び（カーブＡ１）とを示すグラフである。
【図１５】図１３による装置を用いて測定された、従来の柔軟な織物の固定用ストラップを用いて固定された、前腕の手掌側（ｐａｌｍａｒ  ｆｏｒｅａｒｍ）の添え木中の手首関節の横方向曲がり（カーブＢ２）と、本発明による固定用ストラップを用いた場合の横方向曲がり（カーブＡ２）とを示すグラフである。
【図１６】図１３による装置を用いて測定された、従来の柔軟な織物の固定用ストラップを用いて固定された、前腕の手掌側の添え木中の手首関節の横方向曲がりおよび伸び（カーブＢ３）と、本発明による異なる固定用ストラップを用いた場合の横方向曲がりおよび伸び（カーブＡ３）とを示すグラフである。
【発明を実施するための形態】
【００２４】
図１、２、４、７および８に、本発明による固定用ストラップの実施形態を示す。図１、２および４の固定用ストラップ１３および１３’は、さらに以下で、ストラップの使用に関して説明する。言うまでもないが、本発明の範囲内の他の用途が、可能であり、その上有利である可能性がある。
【００２５】
図３に、当技術で知られた屈曲添え木を示す。屈曲添え木２２は、ほぼ直角に配置された、下側アーム部分２３および上側アーム部分２４を含む。両方の部分２３、２４は、前腕および上腕をほとんどすっかりと収容できる、Ｕ字形状の横断面を有する。屈曲添え木２２を腕のまわりで固定するために、先行技術による柔軟なストラップ２５が、添え木の両側上に取り外し可能に固定されて、腕を動かないようにする。
【００２６】
屈曲添え木２２は、患者の着け心地の快適さをもたらすために、内側を被覆することができ、添え木中の腕に空気が流れ込むのを可能にするために、穴を開けることができる。
【００２７】
知られた屈曲添え木２２のクリティカル領域は、手が置かれる先端部分である。手は、添え木中で実質的に垂直に位置付けられ、親指と人差し指の間を通る、長いストラップ２６によって、その中に固定される。この長いストラップ２６が、また柔軟であるので、固定化効果は、多くの場合、十分でない、すなわち、手は、長いストラップ２６にもかかわらず、たとえば、その長手方向軸のまわりで回転させることができ、そのことは、腕に、ある損傷を被った状況では、危険である恐れがあり、とにかく、多かれ少なかれ添え木の固定効果が減少する。
【００２８】
この問題を克服するために、本発明の目的は、柔軟なストラップ２６、およびいくつかの場合では、ストラップ２５の代わりに、剛体の効果的な固定用ストラップを提供することである。このような固定用ストラップを、たとえば、図１、２および４に示す。
【００２９】
図１および２に示す固定用ストラップ１３は、特別な変形および安定性の特性を示し、それらは、添え木材料として使用するために既に提案されているように（国際公開第９７／２２３１  ２  Ａ１号参照）、好ましくはアルミニウムから製作される波形状になされたシート１８に基づく。上記の公報の内容は、波形状になされたコアシート１８の好ましい寸法および他の特性に関して参照される。しかし、国際公開第２−９７／２２３１  Ａ１号による添え木材料の場合とは違い、波形は、長手方向に対して横方向には延在せず、そうでなくて、それに対して平行に延在する（図７のけん引方向３４に対応する）。この配置によって、固定用ストラップ１３の追加の特性がもたらされる。適切な厚さを用いると、コアシート１８は、いずれもの特別な工具を使用せずに手作業で形作ることができ、リブが、局所的な圧縮によって上に持ち上げられる、または局所的な引き延ばしによって平坦化させることができる。このように、波形状になされたコアシートは、その剛性を失うことなく、いずれもの起伏のある形状に適合させることができる。対照的に、リブまたは波の変形のために、材料の剛性が増加し、したがって、より良好な支持機能を引き出すことができる。同時に、長手方向または引っ張り方向３４に対して平行である、個々のリブおよび溝の方向付けによって、この方向で材料の引き延ばしまたは圧縮が存在し、したがって固定用ストラップの長さの変化が起こる恐れがないことが保証される。コアシート（１８）は、片面上に、または両面上に被覆層（１７、１９）が設けられる。
【００３０】
ストリップ形状である、または広い表面または不規則な形状さえ有する、そのような固定用ストラップ１３が、図３による屈曲添え木２２上に（図５または６参照）、または、たとえば、柔軟な固定用ストラップ２６の代わりに、上記で参照したような他のいずれもの添え木上に使用された場合、それは、示す位置で手に適合させることができ、そして、その剛性によって、手をしっかりとその位置に保持する。思いがけずに、または有害になるように、手をどのようにひねることも、もはや可能ではない。
【００３１】
図３に示すような、かかる固定用ストラップ１３が、医療用添え木とともに使用された場合、それは、片面または両面上を、被覆シート１９を用いて被覆すると好都合であり、それによって、コアシート１８が、直接肌に接触しないように防止される。被覆シートの材料は、たとえば、発泡体または薄織物とすることができる。さらに、固定用ストラップは、被覆された体の一部分に空気が流れるのが可能なように、穴を開けることができる。
【００３２】
固定用ストラップ１３を添え木上に解放可能に取り付けるために、それには、ベルクロ社の固定システムの一部分としてフック（図８参照）を好ましくは備える固定手段２０および２１を、端部に備えることができる。添え木の表面上には、対応相手として、対応するループを配置することができる。具体的には、添え木の外側表面のすべてが、ベルクロ社製材料によって被覆される場合、固定用ストラップを、添え木の外側上に、どこにでも取り付けることができる柔軟なシステムを構築することができる。
【００３３】
フックおよびループが組み込まれたファスナシステムの代わりに、固定用ストラップ１３’が、図４による２７、２８を有することができる。ここで、固定手段は、柔軟な、好ましくは非伸縮性のストラップとして、固定用ストラップの端部に配置され、フック、スナップまたは他の解放可能な手段が、固定用ストラップを固定するために設けられる。また、可溶性（または非可溶性）の接着剤を用いて固定用ストラップを添え木上に貼り付けることが、可能である。固定用ストラップおよび添え木は、一体設計とすることができるが、しかし、それには、添え木が所望の形状に切断されるとき、比較的多くの材料が失われるという欠点がある。
【００３４】
図２および４による固定用ストラップ１３、１３’は、図３に示すような屈曲添え木とともにだけでなく、他のいずれもの医療用添え木とともにも使用することができ、台座要素中の、またはその上の添え木を当てられる体の一部分を安定して正確に固定することが、容易に確実に達成されることになることは、明らかである。上腕を特に参照すると、本発明による添え木状の台座と固定用ストラップの組み合わせのために、上腕の具体的な形状に適合させることによって、滑らず、同時に腕を動かすための空間的な余裕を十分残した、高い着け心地の快適さで、上腕の添え木を使用できるのが、可能になる。
【００３５】
医療用添え木中で使用される、本発明による固定用ストラップは、非常に多数の異なる形態およびシート厚さによって、申し分なく継ぎ目なしで添え木を被覆するという利点をもたらす。また、添え木は、異なる構造のものとすることができる、すなわち、Ｕ字形状の台座添え木、半円の添え木、または領域中で完全な円である添え木とすることができ、ストラップが使用される。いずれの場合でも、解決策が、高い適応性および大きい着け心地の快適さをもたらす。
【００３６】
さらに、図５および６の屈曲添え木３０に関して示したように、追加の固定用ストラップ３１、３２は、ある一定の（角度のついた）形態で屈曲添え木（または他の添え木）を固定するために使用することができる。固定用ストラップ３１、３２は、固定用ストラップ１３、１３’および１４に似たように構築され、したがって、それらは、長手方向で同様の剛性および引っ張り強度を有する。図５の屈曲添え木３０が、曲げ領域２９中でほぼ直角に、または別の角度で曲げられる場合、曲げ領域２９の角度が変化しないように防止するために、剛体の固定用ストラップ３１を角度のついた範囲にわたって横方向で斜めに、単に固定することによって、この角度姿勢を安定化させることができる。固定用ストラップ３１は、添え木の片側上にだけ、または両側上に、その両方で取り付けることができる。
【００３７】
屈曲添え木３０または他の添え木は、図６に示すように、添え木材料の固有の剛性が、ある状況の場合、十分でないとき、外側での使用のために固定用ストラップ３２を使用することによって、安定化させることができる。そのような外側での安定化は、図６に示すように、曲げ領域２９中で実施されることが好ましい。しかし、それは、さらにまた、より重く負荷がかかる添え木の他の場所上に使用することができる。そのような場合、０．６ｍｍ〜１．２ｍｍの範囲内の、より厚い固定用ストラップを使用すべきである。
【００３８】
図７および８に示す固定用ストラップ３３を特に幅広く使用することができる。ここで、両面には、表面上の全体に、ベルクロ社製ファスナに対する対応相手になる被覆層３６および３７が設けられる。被覆層３６は、ループ３８を含み、その一方で、他の被覆層３７の表面には、対応するフック３９が設けられる。被覆層３６および３７は、端部で、たとえば、波形状になされたコアシート１８を含む閉じた袋を一緒に形成する端部の継ぎ目３５によって、接続され、波形が、図７に点線で示すように、優先方向３４に対して平行に配置される。
【００３９】
本発明による固定用ストラップを、図９に示すように、使用することができ、体の一部分４０が、固定用ストラップ３３によって、そのまわりに輪を付けられる。その特別の性質のために、固定用ストラップ３３は、輪郭、すなわち体の一部分および／または添え木の窪み部および突起部にぴったりと合う。
【００４０】
固定用ストラップ３３が、比較的長いストリップとして形成される場合、それは、図１０、１１および１２に示すように、特に簡単で効果的な方法で、包帯を固定するために使用することができる。図１０によれば、固定用ストラップ３３は、体の一部分（図示せず）、たとえば、前腕または下肢または指（図１２）のまわりに巻かれ、このようにして、体の一部分の形状に適合させる。その結果、このときらせん形の巻き線４１になり、それは、内側のコアシート１８のために、形状が比較的安定しているが、わずかに一緒に曲げて圧縮する、または長手方向で引き離すことができる。また、寸法安定性は、使用される厚さにかなり依存し、使用される厚さが約１ｍｍであるとき、特に高い。それに反して、高い柔軟性を狙う場合、範囲が０．２ｍｍ〜０．４ｍｍのシート厚さが、有利である。コイルの巻きの間にギャップが残されていないことが好ましい。
【００４１】
良好な可塑性が、高い寸法安定性と組み合わされるべき場合、より薄い厚さを選び、そして、巻きが互いを安定化させる、重ね合わせたコイル４１を用意すること、または、図１１に示すように、追加の強化要素４２、４３をコイル４１の外側上に貼り付けること、そのどちらか一方が、賢明である。強化要素は、巻軸の方向に配置され、巻き線の間隔を一定に保持してコイルの形状を固定する。
【００４２】
図１２に、手４５の人差し指４６の軽い添え木の当てに対する、そのようなコイル４４の使用を最終的に示す。指４６の動きは、このようにして、所望のように制限することができる。ベルクロ社製ストラップなどの追加の固定用ストラップの使用によって（図１２には図示せず）、コイル４４は、図１１に既に示したように、強化することができる。また、手または前腕に対して包まれた指を動かないようにするために、追加の固定用部材によって、コイル４４を手首または前腕の添え木に接続することが、可能である。
【００４３】
また、医療用添え木とともに使用される、本発明による固定用ストラップの強い固定作用が、たとえば、図５および６に示すように、実験で試験された。
【００４４】
この目的で、前腕が、Ｕ字形状の添え木中に半円状で置かれ、そして織物の包帯によって、または、その代わりに、本発明による固定用ストラップによって固定された。評価ユニット５０に受信機４９を介して超音波のインパルスを送信して、手の３次元の運動を解析するために、図１３のように、第１の超音波マーカー４７が、手首の領域中で手の裏側上に配置され、第２の超音波マーカー４７が、前腕側に配置された。スポーツおよび医学の分野で３次元運動をリアルタイムで解析するための、そのような測定システムは、たとえば、Ｚｅｂｒｉｓ  ＣＭＳ−Ｍｅｄｉｃａｌ  Ｇｍｂｈという名で入手できる。
【００４５】
固定化作用の測定値として、半径方向で尺骨の変位（図１３のｄ）が、異なるタイプの添え木当てについて、手の往復運動中に記録された。図１４〜１６は、そのグラフであり、時間経過につれた、異なる添え木中の変位を示す。
【００４６】
カーブＡ１〜Ａ４は、本発明の固定用ストラップを使用したときの偏位を示し、一方カーブＢ１〜Ｂ３は、従来の織物の包帯を使用したときの偏位を示す。
【００４７】
図１４中のカーブは、長い手首関節の添え木の曲がりおよび伸びを示す。
【００４８】
図１５中のカーブは、前腕の手掌側の添え木の横方向の曲がりを示す。
【００４９】
また、図１６中のカーブは、前腕の手掌の添え木に関連し、固定用ストラップには、アルミニウムから製作され、厚さが異なる強化ストリップが設けられた。カーブＡ３は、厚さが１．２ｍｍのアルミニウムシートに関する結果を示し、一方カーブＡ４は、厚さが０．６ｍｍのアルミニウムシートに関する結果を示す。
【００５０】
上記の実施形態によって、本発明による固定用ストラップを使用すると、添え木を当てられる体の一部分を確実に固定する上で、著しい向上をもたらすことになり、また、固定の度合いが、固定用ストラップの特徴に依存することが、明らかに証明される。
【符号の説明】
【００５１】
１３、１３’、１４  固定用ストラップ、  １８  波形状になされたプレート、  １７、１９  被覆層、  ２０、２１  固定手段（たとえば、ベルクロ社製ストラップ）、  ２２、３０  屈曲添え木、  ２３  前腕部分、  ２３  上腕部分、  ２５、２６  固定用ストラップ、  ２７、２８  強化要素、  ２９  曲げ領域、  ３０  屈曲添え木、  ３１、３２、３３  固定用ストラップ、  ３４  歪み方向、  ３５  端部の継ぎ目、  ３６、３７  被覆、  ３８  ループ、  ３９  フック、  ４０  体の一部分、  ４１、４４  コイル、  ４２、４３  強化要素、  ４５  手、  ４６  人差し指、  ４７、４８  超音波マーカー、  ４９  超音波パルス受信機、  ５０  評価ユニット、  Ａ１〜Ａ４  カーブ（固定用ストラップあり）、  Ｂ１〜Ｂ３  カーブ（織物のストラップあり、固定用ストラップなし）、  Ｂ３  カーブ（固定されていない織物包帯あり）。
【図１】
0005917398.tif 000002
【図２】
0005917398.tif 000003
【図３】
0005917398.tif 000004
【図４】
0005917398.tif 000005
【図５】
0005917398.tif 000006
【図６】
0005917398.tif 000007
【図７】
0005917398.tif 000008
【図８】
0005917398.tif 000009
【図９】
0005917398.tif 000010
【図１０】
0005917398.tif 000011
【図１１】
0005917398.tif 000012
【図１２】
0005917398.tif 000013
【図１３】
0005917398.tif 000014
【図１４】
0005917398.tif 000015
【図１５】
0005917398.tif 000016
【図１６】
0005917398.tif 000017